(57)【要約】      （修正有）【課題】設定のための操作性を向上させた測定装置を提供する。【解決手段】設定項目が割り当てられたメニューを表示画面１７に表示する測定装置１であって、表示画面１７上の接触位置を検出可能なタッチパネル１６と、表示画面１７に測定装置としての画像を表示する画像表示処理手段２０と、表示画面上の接触位置に表示されている画像の表示内容を判別する表示内容判別手段２１と、表示内容判別手段２１の判別した表示内容に関連するメニューを接触位置の周囲に表示させるメニュー表示処理手段２２と、メニューの中から接触により選択された設定項目を、設定内容とする設定処理手段２３とを備える。【選択図】図１
2014153143.tif 000002
【特許請求の範囲】
【請求項１】
設定項目が割り当てられたメニューを表示画面に表示する測定装置であって、
前記表示画面上の接触位置を検出可能なタッチパネルと、
前記表示画面に測定装置として機能するための画像を表示する画像表示処理手段と、
前記表示画面上の接触位置に表示されている前記画像の表示内容を判別する表示内容判別手段と、
前記表示内容判別手段の判別した前記表示内容に関連する前記メニューを前記接触位置の周囲に表示させるメニュー表示処理手段と、
前記メニューの中から接触により選択された設定項目を、設定内容とする設定処理手段とを、備えることを特徴とする測定装置。
【請求項２】
前記メニュー表示処理手段が、前記メニューを複数の階層で表示するときに、同一階層の前記メニューの中から接触により選択された設定項目に対する下位階層の前記メニューを、前記同一階層のメニューの外周に新たに表示させることを特徴とする請求項１に記載の測定装置。
【請求項３】
前記メニュー表示処理手段が、前記同一階層のメニューを前記接触位置の周囲に表示させるときに、前記同一階層のメニューの外周に、現在設定されている前記下位階層の設定項目を表示させることを特徴とする請求項２に記載の測定装置。
【請求項４】
前記メニュー表示処理手段が、前記同一階層の設定項目を、前記接触位置を略中心とする仮想の同心円上、多角形上、又はこれらの形状の一部分の上に配置して表示することを特徴とする請求項２又は３に記載の測定装置。
【請求項５】
前記メニュー表示処理手段が、前記同一階層の設定項目であることを明示するための同一階層識別表示を表示させることを特徴とする請求項２から４のいずれかに記載の測定装置。
【請求項６】
前記メニュー表示処理手段が、接触により選択された設定項目を視認により判別可能に表示することを特徴とする請求項１から５のいずれかに記載の測定装置。
【請求項７】
表示画面上の接触位置を検出可能なタッチパネルを備えるコンピュータを、測定装置の設定項目が割り当てられたメニューを前記表示画面に表示して前記測定装置の表示画面として動作させるプログラムであって、
前記コンピュータを、
前記表示画面に測定装置として機能するための画像を表示する画像表示処理手段と、
前記表示画面上の接触位置に表示されている前記画像の表示内容を判別する表示内容判別手段と、
前記表示内容判別手段が判別した前記表示内容に関連する前記メニューを前記接触位置の周囲に表示させるメニュー表示処理手段と、
前記メニューの中から接触により選択された設定項目を、設定内容とする設定処理手段として、動作させることを特徴とするプログラム。
【請求項８】
前記メニュー表示処理手段が、前記メニューを複数の階層で表示するときに、同一階層の前記メニューの中から接触により選択された設定項目に対する下位階層の前記メニューを、前記同一階層のメニューの外周に新たに表示させることを特徴とする請求項７に記載のプログラム。
【請求項９】
前記メニュー表示処理手段が、前記同一階層のメニューを前記接触位置の周囲に表示させるときに、前記同一階層のメニューの外周に、現在設定されている前記下位階層の設定項目を表示させることを特徴とする請求項８に記載のプログラム。
【請求項１０】
前記メニュー表示処理手段が、前記同一階層の設定項目を、前記接触位置を略中心とする仮想の同心円上、多角形上、又はこれらの形状の一部分の上に配置して表示することを特徴とする請求項８又は９に記載のプログラム。
【請求項１１】
前記メニュー表示処理手段が、前記同一階層の設定項目であることを明示するための同一階層識別表示を表示させることを特徴とする請求項８から１０のいずれかに記載のプログラム。
【請求項１２】
前記メニュー表示処理手段が、接触により選択された設定項目を視認により判別可能に表示することを特徴とする請求項７から１１のいずれかに記載のプログラム。
【発明の詳細な説明】
【技術分野】
【０００１】
本発明は、設定項目が割り当てられたメニューを表示画面に表示する測定装置、及び、タッチパネルを備えるコンピュータを測定装置の設定部として動作させるプログラムに関するものである。
【背景技術】
【０００２】
測定装置には、例えば、波形記録装置、デジタルオシロスコープ、データロガー、インピーダンス測定装置、デジタルマルチメータ、電力計などがある。測定装置には、測定条件の設定や測定結果の表示設定など、測定者が操作して測定装置の各種動作設定を行うための設定部が設けられている。
【０００３】
測定装置は、測定チャネル数が多くなるほど、また、高機能になるほど設定項目の数が多くなる。そのため、設定のための操作性を向上させたいという課題がある。
【０００４】
例えば特許文献１には、表示画面の外にメニューキーが設けられていて、表示画面に複数の階層のメニューを表示する測定装置が記載されている。この測定装置では、上位階層のメニューの表示位置を、新たに表示した下位階層のメニューの内側に移動させることで、メニュー選択の操作性を向上させている。
【先行技術文献】
【特許文献】
【０００５】
【特許文献１】特開２００９−１３９３２７号公報
【発明の概要】
【発明が解決しようとする課題】
【０００６】
特許文献１では、メニューを表示画面に表示させ、表示画面の外のメニューキーを操作して設定項目の設定を行っている。本発明では、タッチパネルを用いて、特許文献１とは異なるアプローチにより、設定の操作性を向上させることを課題とする。
【０００７】
本発明は前記の課題を解決するためになされたもので、設定のための操作性を向上させた測定装置、及びプログラムを提供することを目的とする。
【課題を解決するための手段】
【０００８】
前記の目的を達成するためになされた、特許請求の範囲の請求項１に記載された測定装置は、設定項目が割り当てられたメニューを表示画面に表示する測定装置であって、前記表示画面上の接触位置を検出可能なタッチパネルと、前記表示画面に測定装置として機能するための画像を表示する画像表示処理手段と、前記表示画面上の接触位置に表示されている前記画像の表示内容を判別する表示内容判別手段と、前記表示内容判別手段の判別した前記表示内容に関連する前記メニューを前記接触位置の周囲に表示させるメニュー表示処理手段と、前記メニューの中から接触により選択された設定項目を、設定内容とする設定処理手段とを、備えることを特徴とする。
【０００９】
請求項２に記載された測定装置は、請求項１に記載のものであり、前記メニュー表示処理手段が、前記メニューを複数の階層で表示するときに、同一階層の前記メニューの中から接触により選択された設定項目に対する下位階層の前記メニューを、前記同一階層のメニューの外周に新たに表示させることを特徴とする。
【００１０】
請求項３に記載された測定装置は、請求項２に記載のものであり、前記メニュー表示処理手段が、前記同一階層のメニューを前記接触位置の周囲に表示させるときに、前記同一階層のメニューの外周に、現在設定されている前記下位階層の設定項目を表示させることを特徴とする。
【００１１】
請求項４に記載された測定装置は、請求項２又は３に記載のものであり、前記メニュー表示処理手段が、前記同一階層の設定項目を、前記接触位置を略中心とする仮想の同心円上、多角形上、又はこれらの形状の一部分の上に配置して表示することを特徴とする。
【００１２】
請求項５に記載された測定装置は、請求項２から４のいずれかに記載のものであり、前記メニュー表示処理手段が、前記同一階層の設定項目であることを明示するための同一階層識別表示を表示させることを特徴とする。
【００１３】
請求項６に記載された測定装置は、請求項１から５のいずれかに記載のものであり、前記メニュー表示処理手段が、接触により選択された設定項目を視認により判別可能に表示することを特徴とする。
【００１４】
請求項７に記載されたプログラムは、表示画面上の接触位置を検出可能なタッチパネルを備えるコンピュータを、測定装置の設定項目が割り当てられたメニューを前記表示画面に表示して前記測定装置の表示画面として動作させるプログラムであって、前記コンピュータを、前記表示画面に測定装置として機能するための画像を表示する画像表示処理手段と、前記表示画面上の接触位置に表示されている前記画像の表示内容を判別する表示内容判別手段と、前記表示内容判別手段が判別した前記表示内容に関連する前記メニューを前記接触位置の周囲に表示させるメニュー表示処理手段と、前記メニューの中から接触により選択された設定項目を、設定内容とする設定処理手段として、動作させることを特徴とする。
【００１５】
請求項８に記載されたプログラムは、請求項７に記載のものであり、前記メニュー表示処理手段が、前記メニューを複数の階層で表示するときに、同一階層の前記メニューの中から接触により選択された設定項目に対する下位階層の前記メニューを、前記同一階層のメニューの外周に新たに表示させることを特徴とする。
【００１６】
請求項９に記載されたプログラムは、請求項８に記載のものであり、前記メニュー表示処理手段が、前記同一階層のメニューを前記接触位置の周囲に表示させるときに、前記同一階層のメニューの外周に、現在設定されている前記下位階層の設定項目を表示させることを特徴とする。
【００１７】
請求項１０に記載されたプログラムは、請求項８又は９に記載のものであり、前記メニュー表示処理手段が、前記同一階層の設定項目を、前記接触位置を略中心とする同心円上、多角形上、又はこれらの形状の一部分の上に配置して表示することを特徴とする。
【００１８】
請求項１１に記載されたプログラムは、請求項８から１０のいずれかに記載のものであり、前記メニュー表示処理手段が、前記同一階層の設定項目であることを明示するための同一階層識別表示を表示させることを特徴とする。
【００１９】
請求項１２に記載されたプログラムは、請求項７から１１のいずれかに記載のものであり、前記メニュー表示処理手段が、接触により選択された設定項目を視認により判別可能に表示することを特徴とする。
【発明の効果】
【００２０】
本発明の測定装置及びプログラムは、タッチパネル上の接触位置の周囲に、接触位置の表示内容に関連する設定用のメニューを表示する。これにより、測定者が設定を行いたい例えばスケールなどの表示場所をタッチするだけで、そのメニューが表示されるので、直感的に判り易く、短時間でメニューを表示できる。メニューは、接触位置の周囲に表示されるため、測定者は測定画面にタッチしてからその周りに表示されるメニュー内の設定項目を指等で選択する一連の動作で設定を行うことができるので、短時間で設定を行うことができ、操作性に優れている。測定者の指等の移動距離も短いため、設定の労力も少なくて済む。
【００２１】
メニューを複数の階層で表示するときに、同一階層のメニューの中から接触により選択された設定項目に対する下位階層のメニューを、同一階層のメニューの外周に新たに表示させる場合、設定に必要な最上位階層から最下位階層までのメニューが、各階層の設定項目の選択により順に一階層ずつ周囲に表示されていくので、測定者はメニューの階層が深くても、簡便、迅速に設定することができる。
【００２２】
メニュー表示処理手段が、同一階層のメニューを接触位置の周囲に表示させるときに、同一階層のメニューの外周に、現在設定されている下位階層の設定項目を表示させる場合、測定者は設定状況が判るため、設定に便利である。
【００２３】
メニュー表示処理手段が、同一階層の設定項目を、接触位置を略中心とする仮想の同心円上、多角形上、又はこれらの形状の一部分の上に配置して表示する場合、各測定項目が見やすく配置されるので、測定者のメニューの視認性に優れ、操作性が向上する。
【００２４】
メニュー表示処理手段が、同一階層の設定項目であることを明示するための同一階層識別表示を表示させる場合、測定者は各階層の設定項目を確実に認識することができる。メニュー表示処理手段が、接触により選択された設定項目を視認により判別可能に表示する場合、選択状況を直ちに認識することができる。
【図面の簡単な説明】
【００２５】
【図１】本発明を適用する測定装置の構成を示すブロック図である。
【図２】本発明の測定装置の動作を示すフローチャートである。
【図３】本発明を適用する測定装置のタッチパネルの表示例を示す図である。
【図４】本発明を適用する測定装置のタッチパネルの操作例を示す図である。
【図５】本発明を適用する測定装置のタッチパネルの表示例及び操作例を示す図である。
【図６】本発明を適用する測定装置のタッチパネルの表示例及び操作例を示す図である。
【図７】本発明を適用する測定装置のタッチパネルの表示例及び操作例を示す図である。
【図８】本発明を適用するプログラムを動作させるコンピュータの使用状態を示す概略図である。
【図９】図８に示すコンピュータの構成を示すブロック図である。
【図１０】図８に示す測定ユニットの構成を示すブロック図である。
【発明を実施するための形態】
【００２６】
以下、発明を実施するための形態を詳細に説明するが、本発明の範囲はこれらの形態に限定されるものではない。
【００２７】
図１に、本発明を適用する測定装置１を示す。測定装置１は、測定用センサ１１、測定部１２、ＣＰＵ（中央処理演算装置）１５、タッチパネル１６、及び記憶部１９を備えている。この例では、測定装置１がデータロガーである例について説明する。
【００２８】
測定用センサ１１は、例えば温度センサ、電流センサ、電圧センサ、測定プローブなどである。測定用センサ１１は、測定チャネル分備えられている。測定装置１は、測定用センサ１１を着脱可能なコネクタ（図示せず）を備えていてもよい。測定部１２は、一例として、測定用センサ１１によって測定された測定値を適正なレベルまで増幅する増幅器１３、及び、増幅された測定値をアナログ／デジタル変換してＣＰＵ１５に出力するアナログ／デジタル変換器１４を備えている。測定部１２が測定を行う測定レンジや測定タイミングなどの測定条件は、ＣＰＵ１５から設定される。
【００２９】
ＣＰＵ１５は、記憶部１９に記憶されているプログラムに従って動作して、測定装置１の動作を統括的に制御する。ＣＰＵ１５は、後述するように、画像表示処理手段２０、表示内容判別手段２１、メニュー表示処理手段２２、及び設定処理手段２３としても動作する。
【００３０】
タッチパネル１６は、画像を表示可能な液晶パネルなどの表示画面１７と、表示画面１７上の接触位置を検知可能なタッチパッドなどの操作部１８とを組み合わせたものである。タッチパネル１６は、表示画面１７が操作部１８を兼ねているので、操作部１８を表示画面１７ともいう。
【００３１】
記憶部１９は、書き換え可能な不揮発性メモリであり、測定データ、測定装置１の各種動作設定、及び、ＣＰＵ１５の動作用のプログラムを記憶するものである。記憶部１９を、測定データ記憶部、設定項目記憶部、プログラム記憶部として各々別個のメモリを用いてもよいし、同図に示すように共用して用いてもよい。記憶部１９は、例えば、フラッシュメモリなどの半導体メモリやハードディスクである。
【００３２】
次に、測定装置１の動作について図１〜図７を参照して説明する。図２に測定装置１の動作を示すフローチャートを図示し、図３〜図７にタッチパネル１６の表示例及び操作例を示す。
【００３３】
測定装置１（図１参照）は、動作を開始すると、ＣＰＵ１５がプログラムに従い画像表示処理手段２０として動作して、表示画面１７に測定装置として機能するための画像を表示する（画像表示ステップＳ１）。具体的には、画像表示処理手段２０は、表示画面１７に測定した波形を表示したり、測定値を表示したり、測定データを用いて演算した演算結果を表示したり、波形の表示用の縦軸や横軸のスケールを表示したり、サンプリング期間などの測定条件を表示したり、測定装置１の機能設定項目を表示したりするように、測定装置の測定、表示、及び／又は動作に関する測定装置として機能するための種々の画像を表示させる。画像は、測定装置の種類や機能、表示方法によって異なる。この画像は、従来の測定装置が表示する画像と同様であってもよい。この画像は、スケールや波形のように描画画像であってもよく、文字や記号を表した文字画像であってもよく、測定装置１が表示画面１７に表示するものであればどのような画像であってもよい。
【００３４】
図３に、画像表示処理手段２０が、表示画面１７に画像として波形表示用のスケール６０を表示させている例を示す。このスケール６０は、波形表示時に常に表示させているものであってもよく、また、例えば画面上部の「設定」に測定者が接触したときに、画像表示処理手段２０が表示させる設定用の画像であってもよい。同図では、画像表示処理手段２０が、ＣＨ（チャネル）１、及びＣＨ２の２つのスケール６０を表示させている例を示している。
【００３５】
測定者は、測定条件の設定や、表示条件の設定など、測定装置１の動作の設定を行うときに、設定を行う設定項目に関連する画像を指９０で接触（タッチ）する。指９０に換えてタッチペンでタッチしてもよい。図４に示すように、ＣＨ２のスケール（表示画像部分）に関連する設定項目の設定を行う場合、測定者は、表示画面１７に表示されたＣＨ２のスケールを指９０でタッチする。
【００３６】
ＣＰＵ１５は、表示画面１７がタッチされたことを検出したときに表示内容判別手段２１として動作して、接触位置（タッチ位置）に表示されている画像の表示内容を判別する（表示内容判別ステップＳ２）。この例では、表示内容判別手段２１は、表示内容として、ＣＨ２のスケール６０がタッチされたことを判別する。
【００３７】
続いて、ＣＰＵ１５はメニュー表示処理手段２２として動作して、表示内容判別手段２１の判別した表示内容に関連する、設定項目が割り当てられたメニューを接触位置の周囲に表示させる（メニュー表示処理ステップＳ３）。メニューを表示させるべき表示内容か否か、及び、表示内容に対してどのようなメニューを表示させるかは、プログラムに予め規定しておく。メニューを表示させない表示内容である場合、メニュー表示処理手段２２は、何も表示しないか、又は、表示させるメニューが無い旨を表示画面１７に表示する。
【００３８】
メニューが複数の階層を有しているときには、メニュー表示処理手段２２（メニュー表示処理ステップＳ３）は、表示内容判別手段２１（表示内容判別ステップＳ２）の判別した表示内容に関連する同一階層のメニューを接触位置の周囲に表示させ、同一階層のメニューの中から接触により選択された設定項目に対する下位階層のメニューを、同一階層のメニューの外周に新たに表示させる。これにより、メニューの最上位階層から最下位階層まで順に外周に表示されて、複数の階層のメニューが表示画面１７に表示される。
【００３９】
具体的に説明すると、図５に示すように、メニュー表示処理手段２２は、指９０の接触位置の周囲に、ＣＨ２のスケールに関連する最上位階層（同一階層の一例）のメニューとして、「レンジ」「結合」「フィルタ」の３つの選択項目を表示させる。
【００４０】
同図に示すように、メニュー表示処理手段２２は、同一階層の選択項目を、接触位置を略中心（重心）とする仮想の同心円上に配置して表示することが好ましい。同一階層の選択項目を、接触位置を中心とする仮想の三角形、四角形等の多角形上に配置したり、仮想の円や多角形の一部分の上に配置したりして表示してもよい。また、同一階層の選択項目は、仮想の同心円などの上に等間隔で配置することが好ましい。同心円等は実際に表示してもよい。
【００４１】
同図では、指９０の接触位置がＣＨ２のスケールのほぼ中央部付近である例を示しているが、指９０の接触位置が例えばスケールの上部付近である場合、接触位置を中心とする円の一部は上部側にはみ出すので、表示画面１７内にメニューが表示できるように、例えば扇形状に選択項目の配置を変更して表示することが好ましい。
【００４２】
また、同図に示すように、メニュー表示処理手段２２は、同一階層のメニューを接触位置の周囲に表示させるときに、同一階層のメニューの外周に、現在設定されている下位階層の設定項目を表示させることが好ましい。同図の例では、現在、「レンジ」が「５ｍＶ／ＤＩＶ」、「結合」が「ＡＣ」、「フィルタ」が「ＯＦＦ」に設定されている例を示している。現在設定されている下位階層の設定項目を、上位階層の設定項目の直近の外周に表示すると、対応関係が明確に視認できるため好ましい。この例では、メニューが２階層の場合の例を示しているが、３階層以上のメニューを有する場合、現在設定されている全ての階層の設定項目を、階層構造に従って順に外周に表示することが好ましい。現在設定されている設定項目は、最上位階層のメニューを表示する時だけ、表示するようにしてもよい。メニュー表示処理手段２２は、現在設定されている下位階層の設定項目を、メニューの中から設定項目が選択される時まで表示させる。
【００４３】
また、メニュー表示処理手段２２は、同一階層の設定項目であることを明示するための同一階層識別表示を表示させることが好ましい。同図では、同一階層識別表示の例として、最上位階層の設定項目の表示領域をほぼ囲むように、接触位置を略中心とする円形の同一階層識別表示６１を表示し、次の下位階層の表示領域を囲むように、接触位置を略中心とする円形の同一階層識別表示６２を表示した例を示している。同一階層識別表示は、この例に限られず、例えば同一階層の設定項目を同色で表示して、階層ごとに設定項目を異なる色で表示するようにしてもよい。
【００４４】
図６に二点鎖線で示すように、測定者は、表示画面１７に指９０をタッチしたまま、メニューの中から設定を行う設定項目の一例である「レンジ」に指９０をスライドさせてタッチする。メニュー表示処理手段２２は、指９０の接触で選択された「レンジ」に対する下位階層のメニューを、同図に示すように、最上位階層の外周に新たに表示させる。同図では、「レンジ」の下位階層のメニューとして、「５ｍＶ／ＤＩＶ」、「１０ｍＶ／ＤＩＶ」・・・「２０ｍＶ／ＤＩＶ」を表示させた例を示している。
【００４５】
メニュー表示処理手段２２は、接触により選択された設定項目を視認により判別可能に表示させることが好ましい。例えば、メニュー表示処理手段２２は、選択された「レンジ」の色を変えて表示させたり、文字色と背景色とを反転させて表示させたり、文字を枠で囲んで表示させたり、文字のサイズを大きく変えて表示させたりすることで、選択されたことを明示する。
【００４６】
続いて、図７に二点鎖線で示すように、測定者は、表示画面１７に指９０をタッチしたまま、下位階層のメニューの領域に指９０をスライドさせてから、下位階層の中で設定を行う設定項目に指９０をスライドさせてタッチする。同図では、一例として「５Ｖ／ＤＩＶ」を選択した例を示している。メニュー表示処理手段２２は、「５Ｖ／ＤＩＶ」が選択されたことを示すように、色等を変えて表示する。メニュー表示処理手段２２は、指９０が設定項目に触れると直ちに色等の表示を変えて設定項目を選択するようにしてもよいし、０．０５〜１秒間のように所定の停留期間、指９０が設定項目にタッチされていたときに色等の表示を変えて選択するようにしてもよい。
【００４７】
測定者は、設定項目を選択して指９０を表示画面１７から離す。指９０が離されたときに、最後にタッチしていた設定項目で選択が確定する。メニュー表示処理手段２２は、指９０が離されると、直ちに、又は０．０５〜３秒間のように所定の表示期間経過後、表示していたメニューの表示を終了する。
【００４８】
続いて、ＣＰＵ１５は設定処理手段２３として動作して、最下位階層のメニューの中から接触により選択された設定項目を、設定内容として処理する。（設定処理ステップＳ４）。この設定処理は、設定された設定項目の内容によってプログラムに規定されている。
【００４９】
例えば、設定処理手段２３は、選択された設定項目「５Ｖ／ＤＩＶ」を、記憶部１９に記憶させて、表示画面に表示する波形の表示スケールを「５Ｖ／ＤＩＶ」に変更して表示させる。測定装置１が表示スケールと測定レンジとを連動させる場合、設定処理手段２３は、測定部１２の測定レンジを、「５Ｖ／ＤＩＶ」に対応させて予め設定されている測定レンジに変更する。
【００５０】
以上で、設定項目の設定が終了する。このように、指９０を表示画面にタッチしてから離すまでの一連の動作で設定項目を選択することができるので、短時間で設定を行うことができる。また、指９０のタッチした位置の周りに設定項目のメニューが現れるため、設定のための指９０の移動距離が最短距離になり、設定のための労力が少なくて済み、かつ短時間で設定を行うことができる。さらに指９０の接触位置の周囲に設定項目のメニューを表示させるので、メニューを固定的に表示する専用のスペースが不要になる。
【００５１】
なお、設定処理手段２３は、指９０がメニューをスライドしているときに、指９０が表示画面１７から離されなくても、指９０が接触している設定項目を、直ちに設定内容として処理してもよい。例えば図７のように、指９０が「５００ｍＶ／ＤＩＶ」→「１Ｖ／ＤＩＶ」→「２Ｖ／ＤＩＶ」→「５Ｖ／ＤＩＶ」と順にスライドするときに、設定処理手段２３は、指９０が接触している設定項目に直ちに対応させて、表示スケールを「５００ｍＶ／ＤＩＶ」→「１Ｖ／ＤＩＶ」→「２Ｖ／ＤＩＶ」→「５Ｖ／ＤＩＶ」に対応するように順に変化させて、表示画面１７に表示させてもよい。このように指９０を設定項目に接触させただけで直ちに設定を変えるようにすると、測定者は、設定項目の変更による影響を迅速に把握することができる。
【００５２】
また、ＣＨ２のスケールをタッチしたときのメニュー表示について説明したが、ＣＨ１のスケールをタッチしたときは、同様にＣＨ１のメニューを表示させる。また、例えば横軸を指９０でタッチすると接触位置の周囲にサンプリング周期の設定項目「０．００１ｓ」「０．０１ｓ」「０．１ｓ」・・・「１０ｓ」のような設定項目のメニューを表示させたり、波形をタッチすると接触位置の周囲に波形の表示色「白」「黒」「赤」「緑」のような設定項目のメニューを表示させたりするように、各画像に対応する設定項目は適宜定めればよい。
【００５３】
また、メニュー表示処理手段２２は、設定中や設定終了時に、指９０が離されるとメニューの表示を終了するが、指９０を離してもメニューを表示したままの状態にしてもよい。この場合、例えばメニューの表示を終了するためのメニュー終了ボタンや決定ボタン等を表示画面１７に表示すればよい。指９０を表示画面から離すとメニューが閉じるか、指９０を離してもメニューが閉じないようにするかは、測定者の設定で切り替えることができるようにしてもよい。
【００５４】
また、測定装置１を、ＣＰＵ１５、タッチパネル１６及び記憶部１９を備える本体と、測定用センサ１１及び測定部１２を備える測定ユニットとで構成し、別体の本体と測定ユニットとを無線又は有線で接続して、測定データや測定条件等の設定項目を通信するようにしてもよい。この場合、後述するように、コンピュータ５０及び測定ユニット５１を用いる図８〜図１０のような構成になる。
【００５５】
次に、本発明を適用するプログラムについて説明する。
【００５６】
本発明のプログラムは、表示画面上の接触位置を検出可能なタッチパネルを備えるコンピュータを、測定装置の設定項目が割り当てられたメニューを表示画面に表示して、測定装置の表示画面として動作させるものである。このプログラムでコンピュータを動作させることで、タッチパネルを備えるコンピュータが測定装置の表示画面及び設定部として動作する。
【００５７】
図８に、本発明のプログラムで動作させたコンピュータ５０の使用状態を示す概略図を示す。なお、以下において既に説明した構成と同様の構成については、同じ符号を付して詳細な説明を省略する。
【００５８】
コンピュータ５０は、一例として、スマートフォン、ＰＤＡ(Personal Digital Assistants)、携帯型汎用コンピュータなどのタッチパネル１６を搭載したタブレット型の携帯情報端末である。コンピュータ５０として、図示しないが、タッチパネルと本体とが別体型のいわゆるデスクトップ型のコンピュータを用いてもよい。
【００５９】
測定ユニット５１は、測定用センサ１１を備えて測定データを測定するものである。測定ユニット５１は、コンピュータ５０に測定データを無線又は有線で送信可能になっている。コンピュータ５０は、測定ユニット５１が測定した測定データを受信して、波形表示したり、記録したりする。コンピュータ５０と測定ユニット５１とによって、測定装置が構成される。測定ユニット５１の動作設定や波形表示設定などの設定、及び測定開始や停止などの測定ユニット５１の操作は、測定者がコンピュータ５０を操作することで行う。測定ユニット５１に関する設定項目や操作信号は、コンピュータ５０から測定ユニット５１に無線又は有線で送信する。
【００６０】
図９に、コンピュータ５０のブロック図を示す。
【００６１】
同図に示すように、コンピュータ５０は、ＣＰＵ３１、タッチパネル１６、記憶部３２、外部Ｉ／Ｆ（インタフェース）部３３、及びメディアスロット３４を備えている。
【００６２】
ＣＰＵ３１は、記憶部３２に記憶されたプログラムに従って動作して、コンピュータ５０の動作を統括的に制御する。また、ＣＰＵ３１は、プログラムに従って、既に説明した測定装置１のＣＰＵ１５と同様に、画像表示処理手段２０、表示内容判別手段２１、メニュー表示処理手段２２、及び設定処理手段２３として動作する。
【００６３】
記憶部３２は、半導体メモリやハードディスクなどの読み書き可能な不揮発性メモリである。記憶部３２には、プログラム、測定データ、及び設定項目が記憶される。
【００６４】
外部Ｉ／Ｆ部３３は、外部機器接続用のインタフェースである。本発明では、外部Ｉ／Ｆ部３３を、外部機器である測定ユニット５１と接続してデータ通信するために用いる。コンピュータ５０には、無線や有線によるＬＡＮ（ローカル・エリア・ネットワーク）、モデム、ＵＳＢ（ユニバーサル・シリアル・バス）、Ｂｌｕｅｔｏｏｔｈ（登録商標）などの外部Ｉ／Ｆ部３３を有している場合が多いので、これらを利用して、コンピュータ５０と測定ユニット５１とを接続することが好ましい。外部Ｉ／Ｆ部３３として、無線ＬＡＮやＢｌｕｅｔｏｏｔｈを用いると、離れた場所に設置した測定ユニット５１と無線でデータ通信できることから、測定ユニット５１の設置性に優れるため、特に好ましい。
【００６５】
メディアスロット３４は、ＵＳＢメモリやＳＤ（エスディー）メモリカードなどの半導体メモリや、ＣＤ（コンパクトディスク）−Ｒ（レコーダブル）／ＲＷ（リライタブル）といった光学ディスクメモリなどの外部記録媒体にデータを記録したり、外部記録媒体からデータを読み込んだりするための書込／読込装置である。
【００６６】
本発明のプログラムは、ＣＰＵ３１が、メディアスロット３４に装着した外部記録媒体や、ＬＡＮなどの外部Ｉ／Ｆ部３３を介して外部のコンピュータから読み込んで、記憶部１９に記憶させる。
【００６７】
図１０に、測定ユニット５１のブロック図を示す。
【００６８】
測定ユニット５１は、測定用センサ１１、測定部１２、ＣＰＵ４１、記憶部４２、及び外部Ｉ／Ｆ部４３を備えている。ＣＰＵ４１は、測定ユニット５１の動作を統括的に制御して、設定項目に基づいて測定処理を行う。記憶部４２は、ＣＰＵ４１の動作用のプログラムや、設定項目を記憶する書き換え可能な不揮発性メモリである。外部Ｉ／Ｆ部４３は、コンピュータ５０の外部Ｉ／Ｆ部３３と接続するためのインタフェースである。なお、測定ユニット５１が、表示画面や設定部を備えていてもよい。
【００６９】
次に、コンピュータ５０の動作について説明する。
【００７０】
本発明のプログラムは、コンピュータ５０を、表示画面１７に測定装置としての画像を表示する画像表示処理手段２０と、表示画面１７上の接触位置に表示されている画像の表示内容を判別する表示内容判別手段２１と、表示内容判別手段２１が判別した表示内容に関連するメニューを接触位置の周囲に表示させるメニュー表示処理手段２２と、メニューの中から接触により選択された設定項目を、設定内容とする設定処理手段２３として動作させる。
【００７１】
画像表示処理手段２０、表示内容判別手段２１、メニュー表示処理手段２２、設定処理手段２３の動作は、既に説明した測定装置１の動作と同様である。コンピュータ５０と測定ユニット５１とは別体であるので、データを、コンピュータ５０の外部Ｉ／Ｆ部３３を介して測定ユニット５１と通信する。画像表示処理手段２０が、例えば測定ユニット５１から送られる測定データを外部Ｉ／Ｆ部３３（データ通信手段）から読み込んで測定データを縦軸や横軸のスケール付きで表示画面１７に表示させることで、測定装置としての画像を表示画面１７に表示させる。これにより、コンピュータ５０が測定装置の一部として動作して、表示画面１７が測定装置の表示画面になる。ＣＰＵ３１は、プログラムにより、既に説明した図２に示すフローチャートに従って動作して、例えば図３〜図７に示すメニューを表示して、設定項目の設定が可能になる。
【００７２】
また、コンピュータ５０と測定ユニット５１とは別体であるので、設定処理手段２３は、設定処理として、設定項目を記憶部３２に記憶させ、設定項目に応じた動作を行うと共に、測定ユニット５１に関連する設定項目（例えば測定条件）については、外部Ｉ／Ｆ部３３（データ通信手段）を介して測定ユニット５１の外部Ｉ／Ｆ部４３に送信する。測定ユニット５１は、コンピュータ５０から送られた設定項目を記憶部４２に記憶させ、設定項目に応じた測定動作を行う。
【００７３】
コンピュータ５０を、本発明のプログラムで動作させることで、コンピュータ５０が測定装置の一部として動作して、測定、表示、動作等の設定項目を、既に説明した測定装置１と同様に、優れた操作性で設定することができる。
【００７４】
なお、コンピュータ５０が外部Ｉ／Ｆ部３３から測定データを読み込む例について説明したが、測定ユニット５１にメディアスロット（図示せず）を設けて測定データを外部記録媒体に記録して、その外部記録媒体をコンピュータ５０のメディアスロット３４（データ通信手段の他の例）から読み込むようにしてもよい。コンピュータ５０で設定した設定項目をメディアスロット３４で外部記録媒体に書き込んで、測定ユニット５１で外部記録媒体から読み込んで設定するようにしてもよい。
【符号の説明】
【００７５】
１は測定装置、１１は測定用センサ、１２は測定部、１３は増幅器、１４はアナログ／デジタル変換器、１５はＣＰＵ、１６はタッチパネル、１７は表示画面、１８は操作部、１９は記憶部、２０は画像表示処理手段、２１は表示内容判別手段、２２はメニュー表示処理手段、２３は設定処理手段、３１はＣＰＵ、３２は記憶部、３３は外部Ｉ／Ｆ部、３４はメディアスロット、４１はＣＰＵ、４２は記憶部、４３は外部Ｉ／Ｆ部、５０はコンピュータ、５１は測定ユニット、６０はスケール、６１は最上位階層の同一階層識別表示、６２は最下位階層の同一階層識別表示、９０は指、Ｓ１は画像表示ステップ、Ｓ２は表示内容判別ステップ、Ｓ３はメニュー表示処理ステップ、Ｓ４は設定処理ステップである。
【図１】
2014153143.tif 000003
【図２】
2014153143.tif 000004
【図３】
2014153143.tif 000005
【図４】
2014153143.tif 000006
【図５】
2014153143.tif 000007
【図６】
2014153143.tif 000008
【図７】
2014153143.tif 000009
【図８】
2014153143.tif 000010
【図９】
2014153143.tif 000011
【図１０】
2014153143.tif 000012